(57)【要約】  電動シェード及び調光回路を所望の強度レベルにセットさせる信号をシェードネットワーク及び照明システムに送るプロセッサを含む制御システムが提供される。バッファを有するコミュニケーションインターフェースがプロセッサとシェードネットワークとの間に接続される。コミュニケーションインターフェースは、ストリーミングプロトコルに基づいてプロセッサとコミュニケーションし、シェードネットワークとはイベントベースのプロトコルに基づいてコミュニケーションする。シェードネットワークは強度レベルをシェード位置に変換する。プロセッサは、シェードネットワークをして、引き続く一連の等ステップ下に比較的ゆっくりと動作するシェードを模擬させるべくシェードを動作させ得る。プロセッサは、一日の特定の時間にシェードを所定位置に動作させるために、時間ベースのシェード位置情報に基づくプログラムを創出するための調時装置に連結され得る。プログラミングを容易化するために、ユーザーインターフェースソフトウェアを実行するコンピューターをシステムに接続することができる。
2007520650.tif 000002
【特許請求の範囲】
【請求項１】
少なくとも一つの電動シェードを含む少なくとも一つのシェード制御ネットワークと、
少なくとも一つのシェード制御ネットワークを制御するための中央プロセッサにして、各シェード制御ネットワークの電動シェードに制御信号とデータベースフィードバックとを電送し、またこれら各シェード制御ネットワークの電動シェードに制御信号とデータベースフィードバックからのフィードバック情報を受けるようになっている中央プロセッサと、
各シェード制御ネットワークのためのコミュニケーションインターフェース装置にして、中央プロセッサとシェード制御ネットワークとの間に連結され、この間部分での信号及びデータベース情報の伝達を容易化するコミュニケーションインターフェース装置と、
を含み、コミュニケーションインターフェース装置が、中央プロセッサによって個別に引き出されるための、関連するシェード制御ネットワークからのフィードバック情報を保持する情報バッファを含んでいる制御システム。
【請求項２】
中央プロセッサが電動シェードを含まない少なくとも一つのシェード制御ネットワークを制御するようになっている請求項１の制御システム。
【請求項３】
中央プロセッサが、少なくとも一つのシェード制御ネットワークに加え、照明制御ネットワークを制御するようになっている請求項２の制御システム。
【請求項４】
コミュニケーションインターフェース装置の各々と、中央プロセッサとの間のコミュニケーションがストリーミングプロトコルに基づくものであり、コミュニケーションインターフェース装置と、関連するシェード制御ネットワークとの間のコミュニケーションがイベントベースのプロトコルである請求項２の制御システム。
【請求項５】
複数のシェード制御ネットワークの各々がコミュニケーションインターフェース装置に接続される請求項４の制御システム。
【請求項６】
照明とシェードとを制御するための方法であって、
中央プロセッサに接続した装置を所望の強度レベルにセットするための制御信号を伝送するようになっている中央プロセッサを提供すること、
中央プロセッサを、少なくとも一つの調光回路を含む照明システムに連結すること、
中央プロセッサからの制御信号を照明システムに送り、照明制御システムをして調光回路を所望の強度レベルにセットさせること、
中央プロセッサを、少なくとも一つの電動シェードを含むシェード制御システムに連結すること、
中央プロセッサからの制御信号をシェード制御システムに送り、シェード制御システムをして、シェード制御システムの少なくとも一つの電動シェードを所望の強度レベルにセットさせ、シェード制御システムが、中央プロセッサから送られる強度レベルをシェード制御システムの少なくとも一つの電動シェードのためのシェード位置に変換するようになっている方法。
【請求項７】
中央プロセッサから制御信号のシーケンスがシェード制御システムに伝送され、該制御信号のシーケンスによりシェード制御システムの電動シェードが、一連の実質的に一様な時間ステップで実質的に等距離を移動し、かくして該電動シェードのための通常の動作と比較して比較的ゆっくりとした動作を模擬する請求項６の方法。
【請求項８】
シェード制御システムの少なくとも一つの電動シェードのためのモーター速度が可変とされ、
少なくとも一つの電動シェードに、関連するシェード位置に所望の速度で移動させるための信号が強度レベルと同時に伝送される請求項６の方法。
【請求項９】
照明とシェードとを制御するための方法であって、
プログラム可能な中央プロセッサにして、該中央プロセッサに接続した装置のための情報のデータベースにプリセット強度レベルを記憶するようになっている中央プロセッサを提供すること、
中央プロセッサを少なくとも一つの調光回路を含む照明制御システムに接続すること、
中央プロセッサを、少なくとも一つの電動シェードを含むシェード制御システムに接続すること、
照明制御システムの調光回路のためのプリセット強度レベルを情報のデータベース内に記憶するように中央プロセッサをプログラムすること、
照明制御システムの少なくとも一つの電動シェードのためのプリセット強度レベルを情報のデータベース内に記憶するように中央プロセッサをプログラムすること、
シェード制御システムの少なくとも一つの電動シェードのための強度レベルを含む情報のデータベースの一部分を、中央プロセッサからシェード制御システムに送ること、
を含み、シェード制御システムがプリセット強度レベルをプリセットシェード位置に変換するようになっている方法。
【請求項１０】
ユーザーの入力に応答して、シェード制御システムの少なくとも一つの電動シェードのために選択されたプリセット強度レベルに関する信号を中央プロセッサに送るようになっているユーザーインターフェースを、中央プロセッサに接続すること、
選択された強度レベルに関する中央プロセッサからの信号をシェード制御システムに送ること、
を更に含み、
シェード制御システムが、少なくとも一つの電動シェードをして、選択された強度レベルと関連するプリセットシェード位置に移動させる請求項９の方法。
【請求項１１】
シェード制御システムの少なくとも一つの電動シェードのためのモーター速度が可変とされ、
電動シェードを、所望のモーター速度下において関連するプリセットシェード位置に移動させるべく、シェード制御システムの少なくとも一つの電動シェードのためのプリセット強度レベルに関連する所望のモーター速度が情報のデータベースに記憶されるように中央プロセッサをプログラムすること、
情報のデータベースの、シェード制御システムの少なくとも一つの電動シェードのためのプリセット強度レベルを含む部分に、モーター速度及び関連するプリセット強度レベルと共に伝送すること、
を更に含む請求項９の方法。
【請求項１２】
少なくとも一つの電動シェードを制御するための方法であって、
少なくとも一つの電動シェードを含むシェード制御ネットワークにして、各電動シェードが、シェードに関するシェード位置あるいはその他の状況に関するフィードバック情報をシェード制御ネットワークに送るようになっているシェード制御ネットワークを提供すること、
シェード制御ネットワークの電動シェードを制御するためにシェード制御ネットワークに接続した中央プロセッサにして、電動シェードに関するシェード制御ネットワークからのフィードバック情報を受けるようになっている中央プロセッサを提供すること、
中央プロセッサ及びシェード制御ネットワークに接続したコミュニケーションバッファにして、シェード制御ネットワークからのフィードバック情報を中央プロセッサに個別に送るためにメモリーに記憶するようになっているコミュニケーションバッファを提供すること、
シェード制御ネットワークの電動シェードからのフィードバック情報をコミュニケーションバッファに送ること、
送られたフィードバック情報をコミュニケーションバッファ位置でメモリーに記憶すること、
を含む方法。
【請求項１３】
電動シェードのためのシェード位置を一日の時間に関連付けするための調時装置を提供すること、
電動シェードからの位置情報をコミュニケーションバッファに送ること、
調時装置から一日の時間を取得すること、
電動シェードのためのシェード位置情報及び関連する時間情報をコミュニケーションバッファ位置のメモリーに記憶すること、
電動シェードのためのシェード位置情報及び関連する時間情報をコミュニケーションバッファから中央プロセッサに送ること、
シェード制御ネットワークの電動シェードを、コミュニケーションバッファから中央プロセッサに送られた情報に基づき、一日の特定の時間に所定位置に移動させるための時間ベースのマクロプログラムを創出すること、
時間ベースのマクロプログラムを実行すること、
を更に含む請求項１２の方法。
【請求項１４】
中央プロセッサと、コミュニケーションバッファとの間に、ストリーミングプロトコルに基づく情報の循環パケットにおいて情報を伝達するようになっているリンクを提供すること、
コミュニケーションバッファからの、シェード制御ネットワークの電動シェードに関するフィードバック情報を、中央プロセッサに送られる情報の任意のパケットがただ一つの電動シェードに関するフィードバック情報を含むフィードバック情報を含むようなストリーミングプロトコルを使用するシーケンス様式下において、中央プロセッサに送ること、
を更に含む請求項１２の方法。
【請求項１５】
少なくとも一つの電動シェードを含むシェードシステムを制御するための方法であって、
メモリー記憶能力を有するプログラム可能なプロセッサを提供すること、
プログラム可能なプロセッサに連結したアクチュエータを有するコントローラーを提供すること、
プログラム可能なプロセッサを、回転自在に支持されたロールチューブと、ロールチューブに巻き受けされる可撓性のシェード繊維とを含む電動シェードに接続すること、
プログラム可能なプロセッサを、第１シェード位置に関する第１プリセット値と、第２シェード位置に関するプリセット値をメモリーに記憶するようにプログラムすること、
第１プリセットシェード位置と、第２プリセットシェード位置との間で電動シェードをトグル動作させること、
を含む方法。
【請求項１６】
プログラム可能なプロセッサが、アクチュエータを有するコントローラーに連結され、電動シェードがアクチュエータの作動に応答して第１シェード位置と第２シェード位置との間でトグル動作される請求項１５の方法。
【請求項１７】
コントローラーが、アクチュエータに隣り合って位置付けられたＬＥＤにして、トグル動作される電動シェードのシェード位置を可視的に表示するＬＥＤを含んでいる請求項１６の方法。
【請求項１８】
プログラム可能なプロセッサが、完全開放シェード位置及び完全閉鎖シェード位置の何れかに第１シェード位置をデフォルトでセットするようにプログラムされる請求項１７の方法。
【請求項１９】
少なくとも一つの電動シェードを含み、各電動シェードにはコミュニケーションネットワークが接続されたシェード制御システムをプログラムするための方法であって、
ユーザーインターフェース能力を有するコンピューターをシェード制御システムのコミュニケーションネットワークに接続すること、
コンピューターから、シェード制御システムのシェード制御に関する情報のデータベースの少なくとも一部分をシェード制御システムに送ること、
シェード制御システムの受けた情報のデータベース部分をシェード制御システム内のメモリーに記憶すること、
を含むシェード制御システムのプログラミング方法。
【請求項２０】
シェード制御システムの各電動シェードが、メモリー記憶能力を有し、
コンピューターとシェード制御システムとの間に、プログラム可能なプロセッサを結合すること、
コンピューターからの、シェード制御システムに関する情報の全データベースをプログラム可能なプロセッサに送ること、
プログラム可能なプロセッサからの情報のデータ部分の少なくとも一部分を各電動シェードに送ること、
送られた情報のデータベース部分をシェード制御システムの各電動シェード位置のメモリーに記憶すること、
各電動シェードからの、データベース部分を受けたことの通知をプログラム可能なプロセッサに送ること、
マイクロプロセッサからの、少なくとも一つの電動シェードによる通知に関するリポートをコンピューターに送ること、
を更に含む請求項１９の方法。
【請求項２１】
シェード制御システムに関する情報の伝達を容易化するためのコミュニケーションインターフェースをシェード制御システムのコミュニケーションネットワークに接続すること、
プログラム可能なマイクロプロセッサをコミュニケーションインターフェースに接続すること、
を更に含む請求項２０の方法。
【請求項２２】
プロセッサが一体制御システムの一部であり、プロセッサが、シェード制御システムに加え、照明制御システムを含む少なくとも一つの別の制御システムを制御することが可能である請求項２１の方法。
【請求項２３】
複数のコミュニケーションインターフェースを、各々が少なくとも一つの電動シェード及び各電動シェードに連結したコミュニケーションネットワークを含む複数のシェード制御システムに接続すること、
プログラム可能なプロセッサを各コミュニケーションインターフェースに接続すること、
を更に含む請求項２１の方法。
【請求項２４】
ユーザーによる、シェード制御システムに電動シェードを一意的に識別させる一連の入力に応答して、シェード制御システムをして、電動シェードをシーケンス様式下に移動させることを更に含む請求項１９の方法。
【請求項２５】
シェード制御システムの各電動シェードのシリアルナンバーをコンピューターに入力すること、
各電動シェードのシリアルナンバーを情報のデータベースに記憶させること、
情報のデータベースを各電動シェードに伝送させること、
を更に含む請求項１９の方法。
【請求項２６】
コンピューターの外部のメモリー内に、シェード制御システムの各電動シェードのシリアルナンバーを記憶させること、
外部のメモリーから、シェード制御システムの電動シェードのシリアルナンバーをコンピューターの情報のデータベースにインポートすること、
コンピューターからの情報のデータベースを各電動シェードに伝達すること、
を更に含む請求項１９の方法。
【請求項２７】
シェード制御システムをして、電動シェードの第１サブセットにおいて、数を少なくした電動シェードの中から特定の電動シェードを可視的に識別するためにシェードシステムの電動シェードを動作させること、
引き続くサブセットにおいて、シェード制御システムをして、引き続くサブセットに関して電動シェードを動作させる段階を繰り返し、該段階を、シェード制御システムによって特定の電動シェードを一意的に識別するための、特定の電動シェードのみが含まれるサブセットが形成されるまで反復することが更に含まれる請求項１９の方法。
【請求項２８】
所定のサブセットにおける電動シェードの半分が、特定の電動シェードを含む次の電動シェードのサブセットを構成するべく動作される請求項２７の方法。
【請求項２９】
シェード制御システムが、コミュニケーションネットワークに接続した少なくとも一つのコントローラーにして、シェード制御システムに関する情報のデータベースを記憶するためのメモリー記憶能力を有するコントローラーを更に含み、情報のデータベースの少なくとも一部分をシェード制御システムの各コントローラーに送ること、
シェード制御システムの各コントローラーの位置のメモリーに情報のデータベース部分を記憶すること、を更に含むを更に含む請求項１９の方法。
【発明の詳細な説明】
【技術分野】
【０００１】
本発明はシェードネットワークにおける電動シェード制御システムに関し、詳しくは、照明システムと電動シェードのシェードネットワークとを共に制御するための一体化システムに関する。
【背景技術】
【０００２】
電動ロールシェードには、回転自在に支持したロールチューブに巻き受けされる可撓性のシェード繊維が含まれる。電動ロールシェードには、このロールチューブと駆動上係合してロールチューブを回転させるためのモータードライブユニットも含まれる。ロールシェード間に複数の電動ロールシェードを配置し、これらの電動ロールシェードを各ロールシェード間を連絡するシェードネットワークの一部とすることが知られている。ネットワーク配列が各電動ロールシェード間を連絡することで、このネットワークに含まれる複数の電動ロールシェードを好都合な集中位置から集中制御し易くなる。
既知のシェード制御システムには、電子駆動ユニット（ＥＤＵ）と、集中位置からネットワークを制御するための、シェードネットワークに連結した壁取付け自在のコントローラとが含まれる。シェード制御システムは、各電動ロールシェード位置に位置付けたマイクロプロセッサと、制御信号を伝送するため及びネットワーク関連情報を含むデータベースを記憶するためにシェードネットワークに接続される壁付け自在のコントローラとを含む。
【０００３】
既知のシェード制御システムは、各電動ロールシェードのシェードプリセット位置を、ユーザーが後に壁付けコントローラのプリセットアクチュエータを操作して選択するためにシステムに記憶され得るようにプログラムすることが可能であり、また、シェードネットワークに接続した各装置を各一意の識別子でもってアドレス指定することで、これらの各装置間にネットワーク内連絡が提供され且つ各電動ロールシェードの集中制御が提供されるようにもプログラムすることができる。更にはシェード制御システムは、システムの各電動ロールシェードのＥＤＵを壁付けコントローラの一つに割り当て、この壁付けコントローラーからＥＤＵを制御するようにもプログラムされ得る。
集中位置から制御する多数の調光回路を含む照明器具を提供することが知られている。そうした調光照明器具の一例には、Ｃｏｏｐｅｒｓｂｕｒｇ，ＰＡ．のＬｕｔｒｏｎ  Ｅｌｅｃｔｒｏｎｉｃｓ社によるＨｏｍｅＷｏｒｋｓ（商標名）がある。この調光照明器具には、調光回路に接続した中央プロセッサと、調光回路を制御するための壁付けコントローラーとが含まれる。中央プロセッサは、調光回路を０から１００％までの範囲であり得る特定の調光レベルにセットさせる指令信号を伝送する。
【０００４】
シェードネットワークの各電動ロールシェードと、調光機器の調光回路とを一つのコントロールシステムで一元的に制御することが望ましい。しかしながら、既知の照明システム及びシェード制御システムにおける構造上及び作動上の相違からシェード制御システムを既知の調光機器と関連させることは出来なかった。例えば先に議論した調光機器の中央プロセッサは調光回路を各“強度レベル”にセットさせる指令を伝送することにより調光回路を制御する。これは調光回路を制御するためには好適であるが、“強度レベル”の概念には、シェードネットワークによって管理される電動ロールシェードを、そのシェードが特定の位置になるように制御する意味での関連性はない。
シェードネットワークを調光機器と繋げる上での別の障害は、各システムのために好適なあるいは望ましいコミュニケーションプロトコルが異なることである。例えば調光機器では、各情報パケットが定期的に伝送されるストリーミングプロトコルシステムを用いてコミュニケーションが提供されることが所望され得るが、既知のシェード制御システムでは逆に、例えばボタンを押し下げる等のイベントに応答して情報が伝送されるイベントベースのコミュニケーションプロトコルが用いられる。シェード制御システムは、しばしば中央プロセッサを含む従来の照明システムとは異なり、代表的には取付けが複雑にならないことが要求される。かくして、イベントベースのコミュニケーションプロトコルは、低ボーレートでの動作が可能であることから、非集中シェードシステムのために適したものであると言える。
【０００５】
【特許文献１】米国特許出願番号第１０/６６０，０６１号
【特許文献２】米国特許番号第６，１００，６５９号
【特許文献３】米国特許番号第６，４９７，２６７号
【発明の開示】
【発明が解決しようとする課題】
【０００６】
従来の問題を解決する、少なくとも一つの電動ロールシェードを有する少なくとも一つのシェード制御ネットワークを含む制御システムを提供することである。
【課題を解決するための手段】
【０００７】
本発明の一様相によれば、少なくとも一つの電動ロールシェードを有する少なくとも一つのシェード制御ネットワークを含む制御システムが提供される。本制御システムには、各シェード制御ネットワークの各電動ロールシェードに制御信号及びデータベース情報を伝送し、また各電動ロールシェードからのフィードバック情報を受けるようになっている中央プロセッサも含まれる。
本制御システムには更に、中央プロセッサと各シェード制御ネットワークとの間に接続され、この間部分での信号及びデータベース情報の伝送を容易化するためのコミュニケーションインターフェース装置が含まれる。コミュニケーションインターフェース装置には、関連するシェード制御ネットワークからのフィードバック情報を保持し、保持された情報を中央プロセッサが自由に取り出せるようにするための情報バッファが含まれる。中央プロセッサは、電動ロールシェードを含まない別の制御ネットワーク、例えば照明システムにも接続されることが好ましい。コミュニケーションインターフェース装置は、ストリーミングプロトコルに基づいて中央プロセッサーと連絡し、またこの中央プロセッサを接続するシェード制御ネットワークと連絡することが好ましい。
【０００８】
本発明の他の様相によれば、照明機器とシェードとの制御方法が提供される。ある装置を所望の強度レベルにセットするようになっている中央プロセッサが、少なくとも一つの調光回路を含む照明システムと、少なくとも一つの電動ロールシェードを含むシェード制御システムとに接続される。中央プロセッサから、これらの照明システム及びシェード制御システムに対し、所望の強度レベルにセットさせる制御信号が伝送される。シェード制御システムは、所望される強度レベルをシェード位置に変換するようになっている。
好ましい制御方法において、中央プロセッサは、電動ロールシェードが実質的に等しい一連の調時ステップ下において電動ロールシェードの通常駆動時の動作速度と比較してゆっくりと駆動されるような制御信号シーケンスをシェード制御システムに伝送する。別の好ましい制御方法では、中央プロセッサは電動ロールシェード位置を一日の時間と関連させるための調時装置に接続される。シェード位置に関する時間ベースの記憶情報が中央プロセッサに送られ、この情報に基づき、電動ロールシェードを一日のある時間に決まった位置に移動させるための時間ベースの情報を電動ロールシェードに伝送するマクロプログラムが創出される。本発明の別の好ましい制御方法によれば、各電動ロールシェードは第１プリセット位置及び第２プリセット位置に切り換えられ、第１プリセット位置は中央プロセッサにより完全開放あるいは完全閉鎖する状態にデフォルトでセットされる。
【０００９】
本発明の別の様相によれば、制御システムにコンピューターが接続される。コンピューターは制御システムのプログラミングを容易化するためのユーザーインターフェースソフトウェアを実行することが好ましい。制御システムのプログラミングの好ましい方法に従えば、シェード制御システムに関するデータベース情報の少なくとも一部分がコンピューターからシェード制御システムに送られ、メモリーに記憶される。好ましい方法に従えば、データベース情報には、コンピューターに入力されるところのシェード制御システムの各電動ロールシェードのシリアルナンバーが含まれる。好ましい他の方法に従えば、各電動ロールシェードのシリアルナンバーは外部メモリーに記憶され、次いでこの外部メモリーからコンピューターにインポートされる。
【発明を実施するための最良の形態】
【００１０】
同じ参照番号は同じ要素を示す図面を参照するに、図１には、シェードネットワーク１２を制御するための本発明に従う制御システム１０が概略例示されている。以下に詳しく説明するように、制御システム１０は、家庭あるいは施設の照明システム１４に加えてシェードネットワーク１２を制御することのできる一体制御システムである。
シェードネットワーク：
図１の一体制御システム１０のシェードネットワーク１２には、可撓性のシェード繊維を巻き受けする回転自在に支持されたロールに各連結され、電子駆動ユニット１８（ＥＤＵ）を各含む多数の電動ロールシェード（以下、単に電動シェードとも称する）１６が含まれる。シェードネットワーク１２は各電動ロールシェード１６のＥＤＵ１８を制御するシェードキーパッドコントローラー２４のようなその他の装置も含まれ得る。シェードキーパッドコントローラー２４は、ＥＤＵ１８に関連するシェード繊維を所望のシェード位置に上昇あるいは下降させる、あるいはシェード繊維をメモリーに記憶させたプリセットシェード位置に移動させる指令を出すことにより、割り当てられた電動シェード１６を制御する。シェードネットワーク１２の初期化中、各シェードキーパッドコントローラー２４は１つ以上のＥＤＵ１８と関連付けられる。このプロセスはＥＤＵアサインメントとして知られている。
【００１１】
電動シェード１６のＥＤＵ１８と、シェードネットワーク１２のシェードキーパッドコントローラー２４とはケーブル線２２により相互連結される。ケーブル線２２は、各電動シェード１６を制御するために、またネットワーク関連情報のコミュニケーションのための信号伝達を、各ＥＤＵ１８とシェードキーパッドコントローラー２４との間に提供する。
シェードネットワーク１２の各コンポーネンツ及び装置は、それらの各コンポーネントあるいは装置がネットワーク上のその他の全てのコンポーネントあるいは装置と連絡し得るように好ましく相互連結される。本発明の一体制御システムにおいて使用するために好適なシェードネットワークは、２００３年９月１１日に提出された、“Ｍｏｔｏｒｉｚｅｄ  ｓｈａｄｅ  ｃｏｎｔｒｏｌ  ｓｙｓｔｅｍ”と題する米国特許出願番号第１０/６６０，０６１号に示され且つ説明される。この米国特許出願に説明されるように、ネットワークの各コンポーネントへのまたこれら各コンポーネントからの連絡を提供するシェードネットワーク構成が、ネットワークコンポーネンツのアドレス指定のみならず、キーパッドコントローラーへのＥＤＵの割付のようなその他のプログラミング機能を容易化する。
【００１２】
ＥＤＵ及びシェードキーパッドコントローラー２４の各々は、ネットワーク関連情報、例えばアドレスやＥＤＵ割り当てを含む情報データベースの、装置位置での記憶を提供することのできるメモリー記憶能力を有し得る。しかしながら、シェードネットワーク１２の各装置がメモリー記憶能力に対応することは本発明の条件ではない。例えば、シェードネットワーク１２が、ＥＤＵ１８でのあるいはシェードネットワーク１２の各キーパッドコントローラー２４でネットワーク関連情報を記憶するのに代えて、メモリー記憶が可能な一つ以上の集中化した装置を含み得るようにしても良い。シェードネットワーク１２は、電動シェード１６及びシェードキーパッドコントローラー２４に加え、シェードネットワークに接続したその他の装置、例えば、接触閉鎖インターフェース（ｃｏｎｔａｃｔ  ｃｌｏｓｕｒｅ  ｉｎｔｅｒｆａｃｅ）を含み得る。
図１に示され、先に説明されたシェードネットワーク１２はロールシェードを含む。しかしながら、本発明はロールシェードに限定されるものではなく、その他の電動シェードタイプ、例えば、ドレープカーテンやベネチアンブラインドを含むネットワークにも適用することが可能である。
【００１３】
ここで、“完全に開放された”とは、例えば、シェード操作対象としての窓により確定されるようなシェード範囲に対する光遮断量が最小である電動シェード位置に対して参照されるものとし、“完全に閉じた”とは、シェード操作によるシェード範囲の光遮断量が最大である電動シェード位置に対して参照されるものとする。同様に、シェード操作上の“半分閉じた”、あるいは“部分的に開放された”などの関連用語は、“完全に解放された”、あるいは“完全に閉じた”に関連して理解されるべきである。
照明システム：
一体制御システム１０の照明システム１４には、ランプのような調光回路２６が含まれる。照明システム１４の調光回路２６は、この調光回路２６の要求電力を照明システム１４から受けるネットワーク構造内で、シェードネットワーク１２の電動シェード１６におけると類似の様式下に相互連結される。照明システム１４は、この照明システム１４の一つ以上の調光回路２６を制御するようになっている調光コントローラー２８をも含み得る。シェードネットワーク１２及び照明システムの調光コントローラー２８でのシェードキーパッドコントローラー２４の使用が、一体制御システムによって提供されるそれとは独立しての、電動シェード１６及び調光回路２６の光学的プログラミング及び操作を容易化する。しかしながら、以下に議論されるように、一体制御システム１０によって、集中された一つの位置からの両システムの一体制御が提供されることから、シェードネットワーク１２及び照明システム１４がシェードキーパッドコントローラ２４及び調光コントローラー２８を含む点は本発明の条件とはならない。
【００１４】
中央プロセッサ：
一体制御システム１０は中央プロセッサ３０を含む。中央プロセッサ３０は、図１に示されるようにシェードネットワーク１２及び照明システム１４に接続され、シェードネットワーク１２及び照明システム１４の両方を一体制御するようになっている。一体制御システム１０は、好都合な一つの位置、例えば壁付けされた位置からシェードネットワーク１２の各電動シェード１６あるいは照明システム１４の各調光回路２６の何れかを制御するための中央プロセッサ３０に連結したキーパッドコントローラー３２をも含む。
中央プロセッサ３０は、例えばキーパッドコントローラー３２の一つから入力される制御信号を照明システム１４に伝送し、調光回路２６の一つに送られる電流を変更させる。調光回路２６への電流は、中央プロセッサ３０からの指令信号に応じて照明システム１４により０〜１００％の特定強度レベルにセットされる。照明システム１４の調光回路２６の強度レベルはユーザーによって所望のレベルに上下され得、あるいは、調光回路２６のための一体回路システム１０にプログラムされたプリセット強度レベルにセットされ得る。
【００１５】
キーパッドコントローラー：
図２を参照するに、好適なキーパッドコントローラー３２が示される。キーパッドコントローラー３２は、照明システム１４の調光回路２６の強度レベルを上下させるための、あるいはシェードネットワーク１２の電動シェード１６のシェード繊維を上下させるための上昇アクチュエーター３４及び下降アクチュエーター３６を好ましく含んでいる。キーパッドコントローラー３２は、夫々アクチュエーターに割り付けた電動シェード１６あるいは調光回路２６を、一体制御システム１０にプログラムされたプリセット強度レベル（あるいは同等のシェード位置）に、この一体制御システム１０によってセットさせるための複数のプリセットアクチュエーター３８、４０をも含む。キーパッドコントローラー３２は、各プリセットアクチュエーター３８、４０に隣り合って位置付けたＬＥＤ４２をも含む。ＬＥＤ４２は、例えば照明システム１４の調光回路２６がオンオフの何れであるかを、あるいはシェードネットワーク１２の電動シェード１６が以下に詳しく説明する第１位置あるいは第２位置の何れにあるかをユーザーに示すための可視フィードバックを提供する。
【００１６】
上述したように、シェードネットワーク１２は電動シェード１６のＥＤＵ１８に、関連するシェード繊維を所望の位置に上下させる、あるいは、電動シェードを、メモリー記憶能力にプログラムしたプリセットシェード位置に移動させるようになっている。しかしながら、先にも説明したように、一体制御システム１０の中央プロセッサ３０は、照明システムの調光回路を制御するために適宜の強度レベルを表す制御信号を指令するようになっている。中央プロセッサ３０によりシェードネットワーク１２を制御させるために、この強度レベルを表す指令信号が、シェード制御システムのために一層適したシェード位置信号に変換される。一体制御システム１０は、中央プロセッサ３０から送られる強度レベルの信号を、例えばキーパッドコントローラー３２を介したユーザーによる入力に応じてシェード位置信号に変換する。この場合、例えば強度レベル０は完全に閉鎖した位置に相当し、強度レベル１００％は完全に開放された位置に相当する。このように、既存の照明システムは、これを若干改変するのみで、照明及びシェード制御することのできる一体制御システムに改変され得る。そうした改変に向いた照明システムは、Ｃｏｏｐｅｒｓｂｕｒｇ，ＰＡ．のＬｕｔｒｏｎ  Ｅｌｅｃｔｒｏｎｉｃｓ社のＨｏｍｅＷｏｒｋｓ（商標名）制御システムである。
一体制御システム１０のキーパッドコントローラー３２は、この一体制御システム１０へのユーザーアクセスを容易化する好都合な位置に設置するべく、壁付け自在のものであることが望ましい。しかしながら一体制御システム１０は、例えばキーパッドコントローラー３２の一つの内部で一体制御システム１０に連結した赤外線レシーバによって受けられる赤外線信号を発生する、図示されない手持ち式の赤外線トランスミッタをも含み得る。
【００１７】
パーソナルコンピューター及びＧＵＩソフトウェアー：
図３を参照するに、一体制御システム１０の中央プロセッサ３０は、例えばこの中央プロセッサ３０のＲＳ−２３２ポートを介してパーソナルコンピューター（ＰＣ）４４に接続され得る。ＰＣ４４を一体制御システム１０と連結することで、ＰＣ４４で実行されるＧＵＩソフトウェアの使用を介してのプログラミング及び制御の高率化が提供される。そうしたＧＵＩソフトウェアは、システムプログラミング及びその他の機能、例えば、トラブルシューティングの問題や、新システムのインストールのためのシステムダイアグノーシス特徴を容易化するスクリーンディスプレイ及びユーザーセレクションプロンプトを提供する。ＰＣ４４及びこのＰＣ４４に読み込まれるＧＵＩソフトウェアは、システムのインストールあるいはメンテナンスに続く一体制御システム１０の通常操作をも容易化し得るが、必ずしもその必要はない。例えばＰＣ４４は、引き続く一体制御システム１０操作のために必要な情報をキーパッドコントローラー３２を介してプログラミングする目的だけのために、ＲＳ−２３２ポートを用いて中央プロセッサ３０に連接することができる。従って、中央プロセッサ３０は、必要なプログラミングが完了した後、ＰＣ４４無しで通常動作させるべくＰＣ４４を切り離し得る。
【００１８】
図１及び図３に示される一体制御システム１０において、システム関連情報のメモリー記憶能力を提供するため及び、強度レベルに関連する指令信号を照明システム１４及びシェードネットワーク１２に送るための中央プロセッサ３０を含んでいる。上述したように、ＰＣ４４は一体制御システム１０を操作するために用い得るものであり、中央プロセッサ３０を別個に含むのに代えて、ＰＣ４４のプロセッサ及びメモリー記憶能力を使用するべく一体制御システム１０に恒久的に含まれ得る。しかしながら、図１及び図３に示されるように、プログラム可能な中央プロセッサ３０を別個に用いることで、一体制御システム１０のための丈夫で且つ耐久性のある構造が提供される。
【００１９】
タイムクロック及び休暇モード：
図３を再度参照するに、一体制御システム１０はプログラム可能な中央プロセッサ３０と関連付けされたタイムクロック４６をも含み得る。タイムクロック４６は中央プロセッサ３０に組み込まれることが好ましい。タイムクロック４６が中央プロセッサ３０に関連付けられることで、中央プロセッサ３０のメモリー内に、シェードネットワーク１２の各電動シェード１６の位置及び照明システム１４の各調光回路２６の状態に関する時間ベースの情報の記憶が提供される。中央プロセッサ３０は、例えばシェードネットワーク１２のために、一日の所定時間における所定の電動シェード１６のシェード位置に関する情報を記憶することができる。シェードネットワーク１２に関するそうした時間ベースの情報は、所定の電動シェード１６を、メモリーに記憶した時間ベースの情報の履歴に基づき、一日の異なる時間においてあるシェード位置に自動的に移動させるためのマクロプログラムを創出するために使用され得る。創出されたマクロプログラムによれば、例えば、家庭環境におけるユーザーが休暇で出かける場合でもプログラムを立ち上げ、中央プロセッサ３０のメモリーに記憶した時間ベースの情報の履歴に従う、家庭での占有使用を模したシェードネットワーク１２の自動制御を提供させることができる。
【００２０】
警報モード中におけるシェード操作：
図３を尚参照するに、一体制御システム１０の中央プロセッサ３０は、一体制御システム１０を組み込む家庭環境あるいは施設のためのセキュリティシステム４８にも接続することができる。一体制御システム１０は、セキュリティシステム４８から中央プロセッサ３０に送られる警報信号に応答して照明システム１４の全ての調光回路２６を最高強度にあるいは急速点滅させるべくプログラムすることができる。また一体制御システム１０は、シェードネットワーク１２の全ての電動シェード１６を完全開放位置に移動させ、警報モード下に照明システム１４の各調光回路２６により創出される効果を最大限化させるようにプログラムすることも可能である。あるいは一体制御システム１０は、各電動シェード１６を完全開放位置に移動させ、次いでこの完全開放位置と、部分開放位置との間での移動を反復させ、かくして追加的な警報信号を提供させるようにプログラムされ得る。
【００２１】
バッファを有するコミュニケーションインターフェース：
図１を再度参照するに、一体制御システム１０は中央プロセッサ３０とシェードネットワーク１２との間に連結したコミュニケーションインターフェース装置５０を含んでいる。コミュニケーションインターフェース装置５０は、シェードネットワーク１２からの、各電動シェード１６の位置あるいは状態に関するフィードバック情報を記憶するためのバッファを含んでいる。シェードネットワーク１２からのフィードバック情報がバッファに記憶されることで、例えば中央プロセッサ３０が故障した場合にも作動を継続させるために、シェードネットワーク１２を照明システム１４とは無関係に作動させることが容易化される。
【００２２】
バッファを持つコミュニケーションインターフェース装置５０を含むことで、既存の照明システムの、照明及びシェードを制御し得る一体制御システムへの変換が容易化される。先に説明したＨｏｍｅＷｏｒｋｓ（商標名）制御システムによって提供されるような照明システムではストリーミングコミュニケーションシステムが望ましい。ストリーミングプロトコルに基づくコミュニケーションシステムでは相互連結されたコンポーネンツ間で情報パケットが定期的に送られる。この形式のコミュニケーションは、情報が、キーパッドコントローラーを介する入力コマンド、あるいはコマンドに応じるコンポーネント動作（例えば、コマンドに応答した電動シェード動作の確定あるいは故障状態の表示）の如きイベントに応答して伝達されるイベントベースのプロトコルシステムとは対照的なものである。
【００２３】
ストリーミングプロトコルシステムは、一体制御システム１０の形態上の融通性を高める。この点は、ネットワーク情報が各装置位置でのメモリー記憶を必要とすることなく、集中位置から伝送され得ることから、例えば照明システムのような比較的安価な装置が制御される制御システムでは特に望ましいものである。コミュニケーションインターフェース装置５０のバッファは、ストリーミングプロトコルコミュニケーションを用いる既存の照明システムに対し、この照明システムの変更必要性を僅かとしつつ、イベントベースのコミュニケーションプロトコルに基づくコミュニケーションを図るように適合されたシェード制御システムを加える改変を提供する。
【００２４】
一体制御システムの制御方法：
１．中央プロセッサ位置でのプリセット強度レベルの記憶
シェードネットワーク１２の電動シェード１６を一体制御システム１０によって制御するための方法には様々なものがある。上述したように、中央プロセッサ３０はシェードネットワーク１２の電動シェード１６のためのプリセットした強度レベルをメモリー記憶するために好ましくプログラムされる。ある制御方法によれば、中央プロセッサ３０は、この中央プロセッサ位置で、照明システム１４の各調光回路２６のための、またシェードネットワーク１２の各電動シェード１６のためのプリセット強度レベルをメモリーに記憶するべくプログラムされ得る。キーパッドコントローラー３２のシェードプリセットアクチュエーター３８の動作に応答して、中央プロセッサ３０がシェードネットワーク１２にプリセット強度レベル信号を伝送し、伝送されたプリセット強度レベル信号が関連する電動シェード１６によって受けられ、シェード位置信号に変換される。次いで電動シェード１６はそのＥＤＵ１８に対し、シェード繊維を中央プロセッサ３０から送られたプリセット強度レベルに相当するシェード位置に移動させるよう指示する。
【００２５】
２．シェードネットワークによるプリセット強度レベルの記憶：
あるいは、プリセット情報は一体制御システム１０のプログラミングの一部として、先ずシェードネットワーク１２に送られ得る。上述したように、シェードネットワーク１２は各電動シェード１６位置におけるメモリー記憶能力を提供するようになっている。ユーザーは、ＧＵＩソフトウェアを有するＰＣ４４を用い、シェードネットワーク１２の各電動シェード１６のための所望のプリセット強度レベル入力を要求することができる。次いで、プリセット強度レベルのデータベースがＰＣ４４のＧＵＩソフトウェアによってコンパイルされ、中央プロセッサ３０によって伝送され、かくしてシェードネットワーク１２の各電動シェード１６位置でメモリーに記憶される。
【００２６】
別の制御方法によれば、キーパッドコントローラー３２のプリセットアクチュエーター３８を引き続き作動させることで、中央プロセッサから“プリセット値へのセット”指令が伝送される。この点は、中央プロセッサ３０位置のメモリーに記憶されたデータベース情報に基づく実際の強度レベルを表す信号が、中央プロセッサ３０によりシェードネットワーク１２に送られる先の方法とは異なる。この別の制御方法では、“プリセット強度値へのセット”指令は電動シェード１６に送られ、指令を受けた電動シェード１６は記憶された情報データベースにアクセスし、“プリセット強度値へのセット”指令に関連する強度レベルを決定する。次いで、電動シェード１６はこの強度レベル信号を相当するシェード位置に変換し、ＥＤＵ１８に対し、シェード繊維を相当するシェード位置に移動させるよう指令する。“プリセット強度値へのセット”指令を送る場合、プリセット値に関連する強度レベルを含む多数の信号が各電動シェードに送られるのではなく、各電動シェードに対して同じ“プリセット強度値へのセット”指令が送られ得ることから、コミュニケーションの合計時間が短縮される。
【００２７】
この別の制御方法ではシェードネットワーク１２の各電動シェード１６位置でメモリー記憶されることが好ましいが、必ずしもそうである必要はない。例えば、ＧＵＩソフトウェアによってコンパイルされ、中央プロセッサ３０によってシェードネットワーク１２に送られる情報データベースは、シェードネットワーク１２に関して中央に位置付けた一つ以上の記憶装置に記憶させることができる。
【００２８】
３．シェードをプリセット強度レベルにセットするためのトグル機能：
キーパッドコントローラー３２の各シェードプリセットアクチュエーター３８は、以下に説明するようなトグル機能を用いてシェードネットワーク１２の各電動シェード１６を制御するために使用することができる。例えば、照明システムにおいてはトグル機能を使用してプリセットボタンを作動させることで、調光回路を第１及び第２の各強度レベル間で切り換えることが知られている。プロセッサが、調光回路のための第１及び第２の各強度レベルを、プリセットボタンによりトグル切替される第１及び第２の各状態と関連付ける。プリセットボタンが動作すると第１及び第２の各状態間でのトグル切替が生じ、プロセッサがプリセットボタンの状態に応じて調光回路を第１及び第２の強度レベルの一方にセットする。
【００２９】
照明システムでは、第１プリセット強度レベルはデフォルトで０にセットされ、第２プリセット強度レベルは０ではない所望の強度レベルにセットされる。従って、第１及び第２の各プリセット強度レベルに関連する状態は、夫々“オン”及び“オフ”として参照される。一体制御システム１０において、中央プロセッサ３０はシェードネットワーク１２の各電動シェード１６を、例えばキーパッドコントローラー３２のシェードプリセットアクチュエーター３８の一つによってトグル切り替えされるところの第１状態と第２状態とに基づく第１プリセットシェード位置と第２プリセットシェード位置との間でトグル切り替えするようにプログラムすることができる。第１状態即ち“オフ”状態の時、中央プロセッサ３０は関連する電動シェードの位置をデフォルトで完全に開放する位置あるいは完全に閉じた位置に関連付けされるようセットするべくプログラムされ得る。次いで中央プロセッサ３０は、シェードプリセットアクチュエーター３８の作動に応答して、メモリーに記憶された電動シェード１６のための第１シェード位置（即ち、デフォルトの“オフ“シェード位置）と、第２プリセット位置との間でトグル切り替えする。２つのプリセット位置間でのトグル切り替えを可能とする点は、例えば、プライバシー上の理由、照明要素的な理由あるいは窓からの眺めを良くすること、を含む様々の理由から望ましいものであり得る。
キーパッドコントローラー３２のシェードプリセットアクチュエーター３８に隣り合うＬＥＤ４２は、関連する電動シェード１６が第１及び第２の各プリセット位置の何れに関連付けられているかをユーザーに可視的に表示する。一体制御システム１０は、例えば、関連するシェードプリセットアクチュエーター３８が“オン”及び“オフ”の状態にある場合に、ＬＥＤを夫々“オン”及び“オフ”に切り換える構成とされ得る。
【００３０】
４．モーターの速度低下を模したシェードの段階的移動：
シェードネットワーク１２の各電動シェード１６のためのＥＤＵ１８は、代表的には、関連するロールチューブを一つの設定速度で駆動するようになっている。しかしながら、一体制御システム１０は、比較的ゆっくりとした、しかし連続したシェード繊維動作を模した段階的態様下に電動シェード１６を移動させるように適合させ得る。これは、中央プロセッサ３０が、伝送される各強度レベルと実質的に等しいステップで増大あるいは減少する強度レベルのシーケンスを定期的態様下に伝送することによって実現され得る。各段階の長さのみならず、各段階間の長さが十分に短い場合、シェード連続的に動作するが、ＥＤＵ１８によって２つのシェード位置間で通常駆動されるシェードの動作よりも遅く見える。ＧＵＩソフトウェアを実行するＰＣ４４が含まれることにより、各電動シェード１６を直接的に段階動作させるための中央プロセッサ３０のプログラミングが大幅に簡略化される。
【００３１】
５．電圧制御によるモーター速度の減速：
通常速度下に段階動作させることでモーター速度減速を模擬するのに代えて、電動シェード１６に付加する電圧を変化させることによってシェードネットワーク１２の電動シェード１６のためのモーター速度を減速させることができる。中央プロセッサ３０からのモーター速度指令に応答して、電動シェード１６のためのＥＤＵ１８のマイクロプロセッサがモーターに付加されるパルス幅変調駆動信号のデューティサイクルを変化させることにより、モーター速度指令に関連する適宜の電圧を付加する。電動ウィンドウシェードのためのモーター速度のこうした態様での制御は、米国特許番号第６，１００，６５９号及び同第６，４９７，２６７号に詳しく説明される。シェードネットワーク１２の電動シェード１６のためのモーター速度は、例えば駆動信号の周波数のようなその他の特徴に基づいても制御することが可能である。
【００３２】
６．一体化されたシステムを作動する多数のシェードネットワーク：
図１の一体制御システム１０は単一のシェードネットワーク１２を単一の照明システム１４と共に中央プロセッサに接続した状態で示されている。しかしながら一体制御システム１０は、この一体制御システム１０によって一体制御するために中央プロセッサ３０に接続した多数のシェードネットワーク１２及び多数の照明システム１４を含み得る。一体制御システム１０に多数のシェードネットワーク１２が含まれることで、各シェードネットワーク１２及び照明システム１４の、その他のシェードネットワーク１２及び照明システム１４とは別個の操作が提供される。多数のシェードネットワーク１２を中央プロセッサ３０に接続させることで、所望される電動シェード１６の数が、シェードネットワーク１２における電動シェードの数あるいは、例えばワイヤ最大長のようなその他の制限事項によって許容される数を上回る場合における電動シェード合計数の増大もまた、望ましく提供され得る。
【００３３】
一体制御システムのプログラム方法：
１．一体制御システム１０は、シェードネットワーク１２の各電動シェード１６をこの一体制御システム１０に対してアドレス指定し、各電動シェード１６に一意の識別子が関連付けられるようにする。ＧＵＩソフトウェアを有する先に説明したＰＣ４４を、以下に説明する方法に従い、一体制御システム１０に対するシェードネットワーク１２の電動シェード１６のそうしたアドレス指定を容易化するために使用することができる。この方法では、ユーザーは先ず、ＰＣ４４のキー打ち込みによって、あるいは一体制御システム１０のプロンプトによるＧＵＩ選択を介してＧＵＩソフトウェアのシェードシステムアドレッシングモードに入る。次いで、中央プロセッサ３０がシェードネットワーク１２の電動シェード１６の一つにおけるシェード繊維を短い距離上げ下げする（即ち、シェード繊維を“揺動”させる）。シェード繊維のこの揺れ動きにより、シェードネットワーク１２の特定の電動シェード１６が見分けられる。次いでユーザーは、揺動された特定の電動シェードがアドレス指定対象のものであるか否かを“イエス”あるいは“ノー”を選択することによって示すようＧＵＩソフトウェアから指示される。ユーザーがもし“ノー“を選択すると中央プロセッサ３０はシェードネットワーク１２に別の電動シェード１６のシェード繊維を揺らす指令を出し、ユーザーには再度、“イエス”あるいは“ノー”の選択が要求される。この手順は、所望の電動シェード１６がシェードネットワーク１２によって揺動され、ユーザーが“イエス”を選択するまで繰り返される。
【００３４】
２．サブセットリダクションを用いたシェード視認：
シェードアドレッシングプログラミングモードにおいてシェードネットワーク１２の特定の電動シェード１６を見分ける別の方法では、電動シェード１６のサブセットがシェードネットワーク１２の全ての電動シェード１６を含む。中央プロセッサ３０はシェードネットワーク１２にカレントサブセットの電動シェード１６の半分を完全開放位置に作動させ、他の半分を完全閉鎖位置に作動させる。次いでユーザーは所望の電動シェード１６の位置を識別するべく“開放”あるいは“閉鎖”を選択するようＧＵＩソフトウェアに要求される。次いで、サブセットの選択された半分の電動シェード１６が半分に分けられ、中央プロセッサが一方の半分の電動シェードを完全に開かせ、他方の半分の電動シェードを完全に閉じさせるよう、シェードネットワーク１２に指令する。この手順は所望の電動シェード１６のみがサブセット内で駆動されるまで反復される。
サブセット内の電動シェードの半分が完全に開放され、他の半分が完全に閉じられるこの方法によれば、シェードネットワーク１２の特定の電動シェード１６を視認するバイナリーシステムが提供される。しかしながら、バイナリーシステムは必ずしも必要ではなく、一体制御システム１０は、例えば、カレントサブセットにおける電動シェードの１/Ｎ個を、Ｎ個のシェード位置の一つに作動させるようシェードネットワーク１２に指示するように適合させ得る。例えば、カレントサブセットにおける電動シェードを４分割し、完全開放位置、完全閉鎖位置、１/４上昇位置、３/４上昇位置にそれぞれ移動するようにされ得る。
【００３５】
３．シェードシリアルナンバーの手動入力：
シェードアドレッシングプログラミングモードにおいてシェードネットワーク１２の電動シェード１６を一意的に識別する上記方法は、特定の電動シェード１６を視認することに基づくものである。シェードネットワーク１２の各電動シェード１６は、各電動シェード１６に対する各一意のシリアルナンバーに基づいても、一体制御システム１０に対してアドレス指定され得る。ユーザーはシェードネットワーク１２の各電動シェード１６のシリアルナンバーを入力するようＧＵＩソフトウェアから指示され、全てのシリアルナンバーがコンピューター４４に入力されると、ＧＵＩソフトウェアはこの情報をコンパイルし、電動シェードのシリアルナンバーのデータベースを構築する。次いでこの情報データベースは中央プロセッサ３０によりシェードネットワーク１２に伝送される。
【００３６】
４．外部記憶装置からのシェードシリアルナンバーの入力：
先に説明したとは別の方法において、シェードネットワーク１２の各電動シェード１６のシリアルナンバーは先ず、一体制御システム１０のＰＣ４４の外部のメモリーに記憶され得る。次いで、シリアルナンバーを格納したファイルが、例えばｅメールあるいはディスク媒体を介して一体制御システム１０のＰＣ４４に送られ、ＰＣ４４によりＧＵＩソフトウェアにインポートされる。次いで、ＧＵＩソフトウェアはファイル情報をコンパイルし、中央プロセッサ３０がシェードネットワーク１２に伝送するところのシェードシリアルナンバーのデータベースを構築する。
以上、本発明を実施例を参照して説明したが、本発明の内で種々の変更をなし得ることを理解されたい。
【図面の簡単な説明】
【００３７】
【図１】照明システムに加えてシェードネットワークを制御するための本発明に従う一体制御システムの概略図である。
【図２】本発明に従う一体制御システムのためのキーパッドコントローラーの正面図である。
【図３】シェードネットワークと照明システムとを制御するための本発明に従う一体制御システムの概略図である。
【符号の説明】
【００３８】
１０  一体制御システム
１２  シェードネットワーク
１４  照明システム
１６  電動シェード
１８  電子駆動ユニット
２２  ケーブル線
２４  キーパッドコントローラー
２６  調光回路
２８  調光コントローラー
３０  中央プロセッサ
３２  キーパッドコントローラー
３４  上昇アクチュエーター
３６  下降アクチュエーター
３８、４０  プリセットアクチュエーター
４２  ＬＥＤ
４４  パーソナルコンピューター
４６  タイムクロック
５０  コミュニケーションインターフェース装置
【図１】
2007520650.tif 000003
【図２】
2007520650.tif 000004
【図３】
2007520650.tif 000005
【国際調査報告】
2007520650.tif 000006
2007520650.tif 000007
2007520650.tif 000008
2007520650.tif 000009
2007520650.tif 000010
2007520650.tif 000011
2007520650.tif 000012